(57)【要約】【課題】夜間の暗い部屋の中でも手摺位置を確認でき、かつ、室内を明るくし過ぎない手摺りを提供する。【解決手段】棒状の手摺り本体１と、側壁Ｋに固着されると共に手摺り本体１の両端部を支持するブラケット８とを、備える手摺りに於て、手摺り本体１の長手方向に沿って側壁Ｋに向かって開口する嵌込凹溝２が凹設され、嵌込凹溝２に装入して固着される透光杆材３を備え、透光杆材３の長手方向一端部３Ａへ光を照射するＬＥＤ４を、ブラケット８に内設し、ＬＥＤ４の発光状態で、透光杆材３の一端部３Ａから長手方向に光が進行しつつ側外方に拡散し、側壁Ｋに向かって光を照射して、側壁Ｋに反射した間接光をもって、暗い室内で使用者に手摺位置を知らせるように構成されている。【選択図】図２
2017223073.tif 000002
【特許請求の範囲】
【請求項１】
棒状の手摺り本体（１）と、側壁（Ｋ）に固着されると共に上記手摺り本体（１）の両端部を支持するブラケット（８）（８）とを、備える手摺りに於て、
上記手摺り本体（１）の長手方向に沿って上記側壁（Ｋ）に向かって開口する嵌込凹溝（２）が凹設され、該嵌込凹溝（２）に装入して固着される透光杆材（３）を備え、
該透光杆材（３）の長手方向一端部（３Ａ）へ光を照射するＬＥＤ（４）を、上記ブラケット（８）に内設し、
上記ＬＥＤ（４）の発光状態で、上記透光杆材（３）の上記一端部（３Ａ）から長手方向に光が進行しつつ側外方に拡散し、上記側壁（Ｋ）に向かって光（Ｌ1 ）を照射して、該側壁（Ｋ）に反射した間接光（Ｌ2 ）をもって、暗い室内で使用者に手摺位置を知らせるように構成されたことを特徴とする手摺り。
【請求項２】
上記透光杆材（３）は、弾性を有する透光性樹脂から成り、上記透光性樹脂の圧縮弾性変形反発力にて上記嵌込凹溝（２）内に、取付金具を用いずに、圧入固着されている請求項１記載の手摺り。
【請求項３】
上記嵌込凹溝（２）の内面の少なくとも溝底面（１２）は、光反射鏡面（２０）を有している請求項１又は２記載の手摺り。
【発明の詳細な説明】
【技術分野】
【０００１】
本発明は、手摺りに関する。
【背景技術】
【０００２】
従来、廊下や階段の側壁には、歩行する人の支えになるように手摺りが設置されている（特許文献１参照）。
【先行技術文献】
【特許文献】
【０００３】
【特許文献１】特開２０１０−１１２０６７号公報
【発明の概要】
【発明が解決しようとする課題】
【０００４】
しかし、従来、夜間の暗い室内では、廊下や階段の天井に設置された照明具を点灯させなければ、手摺りの位置が分からなかった。しかし、暗い中では、照明具を点灯させるためのスイッチの位置を探すのが難しかった。
そこで、手摺り自体に照明具を取付けることも提案されている。しかし、夜間の暗い室内で手摺りの位置を視認できるよう照明具を継続して点灯させていると、室内が必要以上に明るくなってしまっていた。手摺りを寝室の側壁に設置する場合には、手摺りに取付けた照明具が、夜中に光を発して部屋が明るくなり過ぎて快適に眠れないという問題があった。
【０００５】
そこで、本発明は、夜間の暗い部屋や廊下やトイレ等に於ても手摺りの位置を確認でき、かつ、室内を明るくし過ぎない手摺りを提供することを目的とする。
【課題を解決するための手段】
【０００６】
本発明に係る手摺りは、棒状の手摺り本体と、側壁に固着されると共に上記手摺り本体の両端部を支持するブラケットとを、備える手摺りに於て、上記手摺り本体の長手方向に沿って上記側壁に向かって開口する嵌込凹溝が凹設され、該嵌込凹溝に装入して固着される透光杆材を備え、該透光杆材の長手方向一端部へ光を照射するＬＥＤを、上記ブラケットに内設し、上記ＬＥＤの発光状態で、上記透光杆材の上記一端部から長手方向に光が進行しつつ側外方に拡散し、上記側壁に向かって光を照射して、該側壁に反射した間接光をもって、暗い室内で使用者に手摺位置を知らせるように構成されたものである。
【０００７】
また、上記透光杆材は、弾性を有する透光性樹脂から成り、上記透光性樹脂の圧縮弾性変形反発力にて上記嵌込凹溝内に、取付金具を用いずに、圧入固着されているものである。
また、上記嵌込凹溝の内面の少なくとも溝底面は、光反射鏡面を有しているものである。
【発明の効果】
【０００８】
本発明の手摺りによれば、手摺り本体の表て面側から見ることのできない嵌込凹溝に透光杆材が装入・固着されて、側壁に向かって光を照射する為、室内が必要以上に明るくなるのを防止できる。即ち、夜間の暗い部屋や廊下やトイレ等の室内に於て、室内が明るくなり過ぎるのを抑え、側壁に反射する間接光によって、手摺りの位置を確認できる。特に、夜間の寝室で使用しても、睡眠を妨げることがなく、かつ、暗い中でも手摺りの位置を確実に知ることができる。
【図面の簡単な説明】
【０００９】
【図１】本発明の実施の一形態を一部破断して示した斜視図である。
【図２】要部拡大断面図である。
【図３】本発明の手摺りの使用状態を示す拡大断面側面図である。
【図４】変形例を示す要部断面図であり、（ａ）は横断面図であり、（ｂ）は縦断面図である。
【発明を実施するための形態】
【００１０】
以下、実施の形態を示す図面に基づき本発明を詳説する。
図１に示すように、本発明の手摺りは、棒状の手摺り本体１と、側壁Ｋに固着されると共に手摺り本体１の両端部を支持するブラケット８，８とを、備えている。本発明の手摺りは、寝室や廊下や階段、トイレ等の室内に設置される。
図２に示すように、手摺り本体１の長手方向に沿って側壁Ｋに向かって開口する嵌込凹溝２が凹設され、嵌込凹溝２に透光杆材３が装入固着されている。
手摺り本体１は、略円柱状に形成された長尺の木材から成る。手摺り本体１の裏面１Ａ側に嵌込凹溝２が凹設されており、表て面１Ｂ側からは嵌込凹溝２が見えないように設けられている。なお、図１，図２では、手摺り本体１は水平状に配設した場合を示すが、これを鉛直状にしたり、あるいは、上下傾斜状に配設しても自由である。
透光杆材３は、透明乃至半透明の弾性を有する合成樹脂から成り、例えば、アクリル系やポリエステル系の合成樹脂から形成された細長い棒状体である。透光杆材３は、長手方向に沿って内部を通過する光をラジアル外方向へ拡散させる特性を備えている。
なお、手摺り本体１の長手方向に直交する鉛直面で切断した時の手摺り本体１全体（嵌込凹溝２を含む）の断面積Ｓ0 に対し、透光杆材３の断面積Ｓ1 は、０．１×Ｓ0 ≦Ｓ1 ≦０．２×Ｓ0 の関係式を満たすように設定されるのが好ましい。
【００１１】
図３に示すように、透光杆材３は、嵌込凹溝２の溝幅寸法Ｗより僅かに大きな直径Ｄを有する円柱状に形成されている。透光杆材３は、嵌込凹溝２に押し込んで圧入されることで装着されている。つまり、透光杆材３が、弾性を有する透光性樹脂から成り、透光性樹脂の圧縮弾性変形反発力にて、嵌込凹溝２内に弾発的に保持されている。このように、手摺り本体１への透光杆材３の取着の際、取付金具や接着剤は不要である。
図１では、ブラケット８は、横倒Ｊ字状（エルボ型）に形成されているが、これに限定されることなく、Ｌ字状やＴ字状等であっても良い。ブラケット８は、アルミ合金やステンレス鋼等の金属製であるのが強度上好ましく、硬質合成樹脂から成るものでも良い。図示省略するが、ブラケット８は、ネジによって側壁Ｋに固着されている。
【００１２】
図２に示すように、ブラケット８は、手摺り本体１の端部が差込まれる差込部１６が形成され、差込部１６の奥壁部には、透光杆材３の長手方向一端部３Ａへ光を照射するＬＥＤ４が設けられている。
さらに、ＡＣ１００Ｖの電流をＤＣ１２Ｖの電流に変換するトランス装置７を設けている。トランス装置７は、変圧器を有し、家庭用電源の差込み口（コンセント）にプラグを差し込んでのＡＣ１００Ｖの電流を取り出し、ＬＥＤ４を点灯させるためのＤＣ１２Ｖの電流Ｉ0 を供給する。なお、トランス装置７に、非常用の蓄電池（バッテリー）１８を付設するも好ましい。非常用の蓄電池１８を備えていれば、停電により家庭用電源からＡＣ１００Ｖの電流の供給を受けられなくなった時でも、一定の時間にわたってＬＥＤ４にＤＣ１２Ｖの電流Ｉ0 を供給して点灯させることが可能となり、地震等の災害により夜間に停電が発生した場合でも、手摺りを伝って迅速に避難できる。蓄電池１８は、乾電池に置き換えても良い。
【００１３】
ＬＥＤ４は、１個だけで良く、透光杆材３の長手方向一端部３Ａに近接して配設されて、差込部１６に差し込まれた手摺り本体１の端部の嵌込凹溝２に装入されていても良い。ＬＥＤ４が点灯した発光状態で、透光杆材３の長手方向一端部３Ａから光が入射して、透光杆材３のアキシャル方向に光が進行しつつラジアル外方向に拡散して、透光杆材３の側面（外周面）から光が（ラジアル外方向へ）放射される。
【００１４】
トランス装置７は、周囲の明るさを検知する明暗センサー５、及び、人が接近したことを検知する人感センサー９を有し、明暗センサー５・人感センサー９からの電気信号を受けてＬＥＤ４の点灯をＯＮ／ＯＦＦに切換える切換制御手段６とを、備えている。
明暗センサー５は、トランス装置７と一体に設けられ、室内の明るさ（照度）を検出する。
人感センサー９は、例えば、天井面に取付けられる。なお、明暗センサー５・人感センサー９をブラケット８に付設して、切換制御手段６に導線を介して電気的に接続しても良い。また、明暗センサー５と人感センサー９のどちらか一方を省略しても良い。
切換制御手段６は、予め所定明るさの閾値が設定されており、明暗センサー５によって検出された室内等の周囲の明るさ（照度）が、設定した閾値未満である時には、ＬＥＤ４をＯＮにして点灯させ、かつ、明るさ（照度）が閾値を超える時には、ＬＥＤ４をＯＦＦに切換えるように構成されている。即ち、ＬＥＤ４は、切換制御手段６によって、室内が暗くなった時にだけ点灯するように制御される。あるいは、人感センサー９によって、手摺りに人が接近したことを検知すると、ＬＥＤ４の点灯をＯＮに切換え、一定時間経過後に自動的にＬＥＤ４をＯＦＦに切換えるように設定することもできる。
【００１５】
ところで、図４に示す変形例のように、嵌込凹溝２の内面の少なくとも溝底面１２は、光反射鏡面２０を有するも好ましい。なお、図４では、嵌込凹溝２の内面全体を光反射鏡面２０とした場合を示している。図４（ｂ）のように、透光杆材３の他端部３Ｂに対応する嵌込凹溝２の端面に、光反射鏡面２０を付設するのが好ましい。この光反射鏡面２０は、アルミ蒸着層や金属色塗料を塗布して構成したり、アルミ箔を接着する等によって形成する。この光反射鏡面２０を付設すれば、図３に示した光Ｌ1 が、（同一のＬＥＤ４であっても）明るくなる。つまり、光Ｌ1 が同じ明るさであるならば、ＬＥＤ４は低出力のもので十分となる利点がある。
【００１６】
上述した本発明の手摺りの使用方法（作用）について説明する。
図３に示すように、室内が暗くなったことを明暗センサー５により検出し、切換制御手段６によってＬＥＤ４がＯＮに切り換えられた発光状態で、透光杆材３は、長手方向一端部３Ａからアキシャル方向に光が進行しつつラジアル外方向に光が拡散し、透光杆材３から側壁Ｋに向かって光Ｌ1 を照射する。特に、図４に示したように、嵌込凹溝２の溝底面１２乃至全面に、光反射鏡面２０を設けてあると、透光杆材３によってラジアル外方向に放射状に拡散した光が、光反射鏡面２０にて反射して、側壁Ｋに向かう光の束（光Ｌ1 ）となって照射される。
ＬＥＤ４の発光状態で、光Ｌ1 が側壁Ｋに反射して間接光Ｌ2 となり、使用者が手摺りを探す際、この間接光Ｌ2 によって、手摺りの位置を知ることができる。手摺り本体１の表て面１Ｂ側からは、透光杆材３から照射される光Ｌ1 を直接見ることはできず、使用者の目には、側壁Ｋに反射した間接光Ｌ2 が届く。従って、寝室等に設置しても、室内が明るくなり過ぎることはなく、睡眠の邪魔になることもない。
【００１７】
なお、本発明は、設計変更可能であって、図示省略するが、例えば、手摺り本体１が断面多角形状に形成されても良く、嵌込凹溝２の断面形状が矩形状であっても良い。
【００１８】
以上のように、本発明に係る手摺りは、棒状の手摺り本体１と、側壁Ｋに固着されると共に上記手摺り本体１の両端部を支持するブラケット８，８とを、備える手摺りに於て、上記手摺り本体１の長手方向に沿って上記側壁Ｋに向かって開口する嵌込凹溝２が凹設され、該嵌込凹溝２に装入して固着される透光杆材３を備え、該透光杆材３の長手方向一端部３Ａへ光を照射するＬＥＤ４を、上記ブラケット８に内設し、上記ＬＥＤ４の発光状態で、上記透光杆材３の上記一端部３Ａから長手方向に光が進行しつつ側外方に拡散し、上記側壁Ｋに向かって光Ｌ1 を照射して、該側壁Ｋに反射した間接光Ｌ2 をもって、暗い室内で使用者に手摺位置を知らせるように構成されたので、手摺り本体１の表て面側から見ることのできない嵌込凹溝２に透光杆材３が装入・固着されて、側壁Ｋに向かって光Ｌ1 を照射する為、室内が必要以上に明るくなるのを防止できる。即ち、夜間の暗い部屋や廊下やトイレ等の室内に於て、室内が明るくなり過ぎるのを抑え、側壁Ｋに反射する間接光Ｌ2 によって、手摺りの位置を確認できる。特に、夜間の寝室で使用しても、睡眠を妨げることがなく、かつ、暗い中でも手摺りの位置を確実に知ることができる。
【００１９】
また、上記透光杆材３は、弾性を有する透光性樹脂から成り、上記透光性樹脂の圧縮弾性変形反発力にて上記嵌込凹溝２内に、取付金具を用いずに、圧入固着されているので、手摺り本体１への透光杆材３の取付作業が容易となる。さらに、同一長さの透光杆材３であれば、取付金具を用いた場合よりも、明るく側壁Ｋを照射する。
【００２０】
また、上記嵌込凹溝２の内面の少なくとも溝底面１２は、光反射鏡面２０を有しているので、ＬＥＤ４から発せられた光は、有効に側壁Ｋに向って照射することとなる。
【符号の説明】
【００２１】
１  手摺り本体
２  嵌込凹溝
３  透光杆材
３Ａ  一端部
４  ＬＥＤ
５  明暗センサー
６  切換制御手段
７  トランス装置
８  ブラケット
１２  溝底面
２０  光反射鏡面
Ｋ  側壁
Ｌ1   光
Ｌ2   間接光
【図１】
2017223073.tif 000003
【図２】
2017223073.tif 000004
【図３】
2017223073.tif 000005
【図４】
2017223073.tif 000006